(57)【要約】【課題】製造コストを抑え、使用性に優れた電気掃除機を提供する。【解決手段】塵埃を吸引するためのファンモータと、塵埃を吸引する吸い込み具に連通し、塵埃を捕集するための集塵室を備えた本体と、前記本体の下部にねじによって固定された前記本体の方向転換用のキャスター部を備え、前記ねじを前記本体に金属製で略円筒形状のスペーサーを介して締結することで前記キャスター部の外れ止めを行うことで、前記本体を安価でやわらかいポリプロピレン等の材料で形成しても前記ねじの締結部は硬い金属製の前記スペーサーで受けており、強く締結しても前記ねじが必要以上入り込まなくなる。【選択図】図１
2010227474.tif 000002
【特許請求の範囲】
【請求項１】
塵埃を吸引するためのファンモータと、塵埃を吸引する吸い込み具に連通し、塵埃を捕集するための集塵室を備えた本体と、前記本体の下部にねじによって固定された前記本体の方向転換用のキャスター部を備え、前記ねじを前記本体に金属製で略円筒形状のスペーサーを介して締結することで前記キャスター部の外れ止めを行う構成の電気掃除機。
【請求項２】
前記本体上の前記スペーサーの周囲に略円筒形状の円筒リブを形成した構成の請求項１項記載の電気掃除機。
【請求項３】
前記スペーサーを硬い樹脂材料にて形成した構成の請求項１または２項記載の電気掃除機。
【請求項４】
前記スペーサーの断面形状をアルファベットのＣの形状で構成した請求項１から３のいずれか１項記載の電気掃除機。
【請求項５】
前記キャスター部と前記本体の間に滑り性の高いシートを挟みこんだ構成の請求項１から４のいずれか１項記載の電気掃除機。
【請求項６】
前記キャスター部と前記本体の間に軟質材料で形成したシートを挟みこんだ構成の請求５項記載の電気掃除機。
【発明の詳細な説明】
【技術分野】
【０００１】
本発明は一般家庭で使用される電気掃除機に関するもので、特に製造コストに関するものである。
【背景技術】
【０００２】
従来の電気掃除機を、図５および図６を用いて説明する。図５および図６に示す電気掃除機は、本体１１に塵埃を吸引するためのファンモータ１２と、塵埃を吸引する吸い込み具に連通し、塵埃を捕集するための集塵室１３を備え、前記本体１１の下部にねじ１４または前記本体１１に設けられた爪部１５によって保持された前記本体１１の方向転換用のキャスター部１６を設けている（例えば、特許文献１または２参照）。
【特許文献１】特公昭６２−１９８４８号公報
【特許文献２】特公平４−４９４１３号公報
【発明の開示】
【発明が解決しようとする課題】
【０００３】
しかしながら上記特許文献１に示される従来の電気掃除機の構成では、図５に示すように前記キャスター部１６を前記本体に保持させるために前記ねじ１４を前記本体１１に締結させるが、前記本体１１の材料がポリプロピレン等の柔らかい材料の場合は容易に前記ねじ１４を締めすぎることにより前記キャスター部１６を前記本体１１と前記ねじ１４の間で圧接させてしまい前記キャスター部１６の回転不良になる危険性があった。そのため、高価なＡＢＳ等の硬い材料を使用する必要があった。
【０００４】
また、前記ねじ１４を使用しない方法として、図６に示される前記本体１１に設けた前記爪部１５に前記キャスター部１６を嵌合させることで前記本体１１に保持させる方法があるが、この場合前記本体１１の金型構成が複雑になり、金型費用が効果になるため製造コストを圧迫させる要因になっていた。
【０００５】
本発明は上記課題を解決するもので、特に製造コストを低減させた電気掃除機を提供することを目的としている。
【課題を解決するための手段】
【０００６】
上記課題を解決するために本発明は、塵埃を吸引するためのファンモータと、塵埃を吸引する吸い込み具に連通し、塵埃を捕集するための集塵室を備えた本体と、前記本体の下部にねじによって固定された前記本体の方向転換用のキャスター部を備え、前記ねじを前記本体に金属製で略円筒形状のスペーサーを介して締結することで前記キャスター部の外れ止めを行うことで、前記本体を安価でやわらかいポリプロピレン等の材料で形成しても前記ねじの締結部は硬い金属製の前記スペーサーで受けており、強く締結しても前記ねじが必要以上入り込まなくなるため、低コストで前記キャスター部の回転不良といった問題点がない使用性に優れた電気掃除機を提供することができる。
【発明の効果】
【０００７】
本発明は、製造コストを抑えた使用性に優れた電気掃除機を提供することができる。
【発明を実施するための最良の形態】
【０００８】
第１の発明は、塵埃を吸引するためのファンモータと、塵埃を吸引する吸い込み具に連通し、塵埃を捕集するための集塵室を備えた本体と、前記本体の下部にねじによって固定された前記本体の方向転換用のキャスター部を備え、前記ねじを前記本体に金属製で略円
筒形状のスペーサーを介して締結することで前記キャスター部の外れ止めを行うことで、前記本体を安価でやわらかいポリプロピレン等の材料で形成しても前記ねじの締結部は硬い金属製の前記スペーサーで受けており、強く締結しても前記ねじが必要以上入り込まなくなるため、低コストで前記キャスター部の回転不良といった問題点がない使用性に優れた電気掃除機を提供することができる。
【０００９】
第２の発明は、前記本体上の前記スペーサーの周囲に略円筒形状の円筒リブを形成したことにより、前記円筒リブ内部に前記スペーサーを挿入して保持させることで、組立時に前記スペーサーが外れるといった問題点を解決させた組立性に優れた電気掃除機を提供することができる。
【００１０】
第３の発明は、前記スペーサーを硬い樹脂材料にて形成することにより、金属製に比べて軽量化を図ることができ、使用性に優れた電気掃除機を提供することができる。
【００１１】
第４の発明は、前記スペーサーの断面形状をアルファベットのＣの形状で構成したことにより、部品の軽量化を図ることができるとともに、円筒形状より加工工数の削減を図ることができ、低コストで使用性に優れた電気掃除機を提供することができる。
【００１２】
第５の発明は、前記キャスター部と前記本体の間に滑り性の高いシートを挟みこむことにより、掃除機使用時の前記キャスター部の回転性を滑らかにさせることができるため、方向転換が容易な使用性に優れた電気掃除機を提供することができる。
【００１３】
第６の発明は、前記キャスター部と前記本体の間に軟質材料で形成したシートを挟みこむことにより、掃除機使用時の振動を前記シートが吸収することで、前記キャスター部を通じて振動を床面に伝達することを低減させることができる使用性に優れた電気掃除機を提供することができる。
【００１４】
（実施の形態１）
本発明の第１の実施の形態について図１〜図４を用いて説明する。図１〜図４において、１は塵埃を吸引するためのファンモータ２と、吸引した塵埃を捕集するための集塵室３を備えた本体であり、前記本体１の下部に設け、先端部に略円筒形状の円筒リブ４を設けた締結ボス５に金属製で略円筒形状のスペーサー６を挿入したあと、略円筒形状のシート７を通し、前記本体１の方向転換用のキャスター部８の軸受部９を前記締結ボス５に挿入し、ねじ１０によって前記スペーサー６と前記締結ボス５を締結する。前記ねじ１０を締結することで回転自在の前記キャスター部８が前記本体１から外れないようにしている。
【００１５】
図１に示すように、前記キャスター部８は金属製で略円筒形状のスペーサー６を介して前記本体１に締結するため、前記本体１を安価でやわらかいポリプロピレン等の材料で形成しても前記ねじ１０の締結部は硬い金属製の前記スペーサー６で受けており、強く締結しても前記ねじ１０が必要以上入り込まなくなるため、低コストで前記キャスター部８の回転不良といった問題点がない使用性に優れた電気掃除機を提供することができる。
【００１６】
また、前記本体１上の前記締結ボス５の端部に略円筒形状の前記円筒リブ４を形成し、前記円筒リブ４の内部に前記スペーサー６を挿入して保持させることで、組立時に前記スペーサー６が外れるといった問題点を解決させた組立性に優れた電気掃除機を提供することができる。
【００１７】
また、前記スペーサー６を硬い樹脂材料にて形成することにより、金属製に比べて軽量化を図ることができ、使用性に優れた電気掃除機を提供することができる。
【００１８】
また、図４に示すように、前記スペーサー６の断面形状をアルファベットのＣの形状で構成したことにより、部品の軽量化を図ることができるとともに、円筒形状より加工工数の削減を図ることができ、低コストで使用性に優れた電気掃除機を提供することができる。
【００１９】
また、前記キャスター部６の前記軸受部９と前記本体１の前記締結ボス５との間に滑り性の高いシート７を挟みこむことにより、前記軸受部９は滑り性の高い前記シート７と接触し、掃除機使用時の前記キャスター部６の回転性を滑らかにさせることができるため、方向転換が容易な使用性に優れた電気掃除機を提供することができる。
【００２０】
また、前記シート７を軟質材料にて形成することで、掃除機使用時の振動を前記シート７が吸収し、前記キャスター部６を通じて振動を床面に伝達することを低減させることができる使用性に優れた電気掃除機を提供することができる
【産業上の利用可能性】
【００２１】
以上のように、本発明にかかる電気掃除機は製造コストを抑え、使用性に優れた極めて有用なものである。
【図面の簡単な説明】
【００２２】
【図１】本発明の実施の形態１を示す電気掃除機の要部断面図
【図２】同電気掃除機の要部斜視図
【図３】同電気掃除機の要部斜視図
【図４】同電気掃除機の要部斜視図
【図５】従来の電気掃除機の要部断面図
【図６】従来の電気掃除機の要部断面図
【符号の説明】
【００２３】
１  本体
２  ファンモータ
３  集塵室
６  スペーサー
８  キャスター部
１０  ねじ
【図１】
2010227474.tif 000003
【図２】
2010227474.tif 000004
【図３】
2010227474.tif 000005
【図４】
2010227474.tif 000006
【図５】
2010227474.tif 000007
【図６】
2010227474.tif 000008